(57)【特許請求の範囲】
【請求項１】
本体の左右に開閉可能に設けた衣類を掛ける一対のアームと、
前記一対のアームの間にて上下動可能に本体に設けた上下動部材と、
前記一対のアームの開閉と前記上下動部材の上下動を連動させる連動機構と、
前記一対のアームを開状態に保つ、１個の弾性部材と、を具備したハンガー装置であって、
前記本体に回転可能に軸支され、回転カム部を有するロック部材と、
前記ロック部材の回転カム部と係合可能に前記上下動部材に設けられたカム部とを具備し、
前記回転カム部と上下動部材の係合時の間隔は、回転カム部の回転半径よりも小さく設定し、
閉状態の前記一対のアームを開状態とするために前記一対のアームの双方が回転し、前記連動機構によって、前記上下動部材は、下方の位置に移動することで、前記カム部は、前記回転カム部を時計方向に押して通過し、
前記回転カム部は、前記弾性部材の付勢力によって、前記カム部の上位にて前記上下動部材の任意の位置でロックを生じ得るように構成されているハンガー装置。
【請求項２】
前記連動機構は、
前記一対のアームの内方の端部に歯車部と、
前記上下動部材の下部の周面に歯車部と噛み合うラックと、を有し、
前記歯車部とラック部の噛み合いの限界が、前記一対のアームを最大に広げた水平開状態となるように設定されている請求項１記載のハンガー装置。
【請求項３】
第二の衣類を挟み持つために、本体下部の前後に開閉可能に一対の挟持部材を設け、一対の挟持部材を閉じる手段として前記上下動部材に係合部を設けるとともに、前記係合部と係合する係合相手部を挟持部材に設け、前記一対のアームが開いた状態において当該アームを開方向へ操作し、前記連動機構により前記上下動部材を下方の位置へ移動させ、係合部と係合相手部を係合させることで挟持部材により第二の衣類を挟持するように構成されている請求項１記載のハンガー装置。
【請求項４】
係合部として上下動部材の下部に下向きクサビ状の部分を設け、
係合相手部として一対の挟持部材の上部にそれぞれ内向きの突起部分を設けた請求項３記載のハンガー装置。
【請求項５】
一対の挟持部材は上部にて本体に軸支することにより前後に開閉可能に設け、その上部に設けられている係合相手部に上下動部材の係合部が当たることにより一対の挟持部材を開状態に保つように構成されている請求項３記載のハンガー装置。
【請求項６】
一対の挟持部材は相互に嵌り合う凹部と凸部を有する挟持端部を下部に備えており、第二の衣類を挟持したときに凹部と凸部が抜け止めとなるように構成されている請求項５記載のハンガー装置。
【請求項７】
一対の挟持部材は、本体に軸支された上部と、凹部と凸部を有する下部とを板バネによって結合した構成を有している
請求項５又は６記載のハンガー装置。
【発明の詳細な説明】
【技術分野】
【０００１】
本発明は、開閉可能に設けた衣類を掛ける左右一対のアームと上記アームの間に設けた上下動部材とそれらを連動させる連動機構等を具備し、第二の衣類を挟持可能にするとともに、その挟持を容易に行なえるようにしたハンガー装置に関するものである。
【背景技術】
【０００２】
いわゆるリネンサプライ業と呼ばれる分野では、ホテル、病院その他の各種施設にて使用された、各種衣類、寝装品等を回収し、洗濯、アイロン掛けの上、折り畳んで顧客先へ配送するサービスが繰り返される。回収された衣類等は、自動的に工程に投入、処理されるが、衣類はハンガーに掛けて投入される。このためのハンガー装置は迅速な処理に耐えるように作られており、本願の出願人が属する会社においても多くの技術を開発し、その成果の一部は特許出願し、特許権を得ている。
【０００３】
例えば、特開２００３−６１８０８号は、１個のバネ部材で全ての動作を円滑かつ確実に行えるようにするとともに、ワンタッチ操作によってハンガーを閉じることができるように構成されている。よって、ハンガーを押さえていなくても簡単に閉じることができ、開閉それぞれの状態を保つために従来は必要とされた２個のバネ部材も１個省略できるという効果があり、従来製品と比較して構成が簡潔化されるとともに、実用性も向上した。
【０００４】
また、特開２００８−１９４１５５号はワンタッチ式のズボンハンガーの発明であり、ズボン類を吊り下げる作業が著しく容易化され、一旦取り付けたズボン類が脱落し難く、取り外す作業はワンタッチで行なうことができるという効果を奏する。しかしながら、上記の事柄は上着を掛けるハンガー或いはズボン類を吊り下げるハンガーが、それぞれ別々のものとして扱われているということを示しているが、１個のハンガーで上着とズボン類に兼用（共用）できるならより合理性が高まるはずである。
【０００５】
【特許文献１】特開２００３−６１８０８号
【特許文献２】特開２００８−１９４１５５号
【発明の開示】
【発明が解決しようとする課題】
【０００６】
本発明は前記の点に着目してなされたもので、その課題は、一対のアームが複数段階の開状態を取るハンガー装置を提供することである。また、本発明の他の課題は、上着とズボン類に兼用できるハンガー装置を提供することである。また、本発明の他の課題は、特にズボン類の取り付けを極めて容易に行なえるハンガー装置を提供することである。本発明において単に衣類という場合は上着等の主として上衣を指し、第二の衣類という場合はズボン、スカート等の主として下衣を指すものとする。しかし、タオル、枕カバーのような布類についても適用可能である。
【課題を解決するための手段】
【０００７】
前記の課題を解決するため、本発明は、本体の左右に開閉可能に設けた衣類を掛ける一対のアームと、一対のアームの間にて上下動可能に本体に設けた上下動部材と、一対のアームの開閉と上下動部材の上下動を連動させる連動機構と、上下動部材を操作するための操作部及び一対のアームを開状態に保つ、１個の弾性部材を具備したハンガー装置であって、本体に回転可能に軸支され、回転面に設けた回転カム部を有するロック部材と、上記ロック部材の回転カム部と係合可能に上下動部材に設けられたカム部とを具備し、係合部と上下動部材の係合時の間隔は回転カム部の回転半径よりも小さく設定し、回転カム部がカム部を超えると任意の位置でロックを生じ得るように構成するという手段を講じたものである。
【０００８】
上記のとおり、係合部と上下動部材との係合時の間隔は、回転カム部の回転半径よりも小さく設定されている。換言すると、回転カム部はその半径よりも短い距離で上下動部材と係合する構成であるため、係合部分にて上下動部材との食い込みを生じてロックし、それ以上は移動することができない。よって、回転カム部がカム部を超えると、事実上任意の位置でロック可能であり、一対のアームは任意の開状態のまま保持され得る。よって、一対のアームは、両方とも垂れ下がった状態から、なで肩衣類を掛けるのに適した緩く傾斜した状態及び水平にのびた状態等複数段階の開状態を取ることができる。
【０００９】
また、本発明は、本体の左右に開閉可能に設けた衣類を掛ける一対のアームと、一対のアームの間にて上下動可能に本体に設けた上下動部材と、一対のアームの開閉と上下動部材の上下動を連動させる連動機構と、上下動部材を操作するための操作部及び一対のアームを開状態に保つ、１個の弾性部材を具備したハンガー装置について、第二の衣類を挟み持つために、本体下部の前後に開閉可能に一対の挟持部材を設け、一対の挟持部材を閉じる手段として上下動部材に係合部を設けるとともに、上記係合部と係合する係合相手部を挟持部材に設け、一対のアームが開いた状態において当該アームを開閉いずれかの方向へ操作し、連動機構により上下動部材を上下動させ、係合部と係合相手部を係合させることで挟持部材により第二の衣類を挟持するように構成するとい手段を講じたものでもある。
【００１０】
本発明のハンガー装置は、ワンタッチ操作によってハンガーを閉じることができるように構成されている点、特許文献１のものと共通する。従って、１個のバネ部材で全ての動作を円滑かつ確実に行えるようにするとともに、ワンタッチ操作によってハンガーを閉じることができるように構成されている。
【００１１】
その構成において、本発明のハンガー装置では、第二の衣類を挟み持つために、本体下部の前後に開閉可能に一対の挟持部材を設けている。一対の挟持部材は共に本体に設けられており、かつ、前後方向に開閉し、挟持部が閉じることによって第二の衣類を挟み持つことを特徴とする。
【００１２】
一対の挟持部材を閉じる手段として上下動部材に係合部を設けるとともに、上記係合部と係合する係合相手部を挟持部材に設けている。係合部と係合相手部は互いに係合して、挟持部材に一定の作用を行なわせるものであり、係合部は上下動部材に設けられていることから、操作部の操作によって挟持部を動かすことができる。
【００１３】
本発明における実施形態として、係合部として上下動部材の下部に下向きクサビ状の部分を設け、係合相手部として一対の挟持部材の上部にそれぞれ内向きの突起部分を設けた構成は、好ましいものである。しかし、係合相手部として、一対の挟持部材の一方だけに突起部分を設けた場合でも同様の効果が得られる。その場合、突起部分を設けた方がより大きく動かされる。
【００１４】
一対の挟持部材は上部にて本体に軸支することにより前後に開閉可能に設け、その上部に設けられている係合相手部に上下動部材の係合部が当たることにより一対の挟持部材を開状態に保つように構成することができる。この構成によって、１個のバネ部材の作用力で一対の挟持部材を開状態に保つことができる。
【００１５】
また、一対の挟持部材は相互に嵌り合う凹部と凸部を挟持端部に有し、第二の衣類を挟持したときに凹部と凸部が抜け止めとなるように構成することができる。このような実施形態により、挟持力が弱くても凹凸の抵抗に基づいて、より大きい保持効果が得られるという利点も生じる。
【００１６】
さらに、一対の挟持部材が、本体に軸支された上部と、凹部と凸部を有する下部とを板バネから成る結合部材によって結合する構成も好ましい態様である。係合部と係合相手部に強い力を加えてもその力が板バネから成る結合部材によって調整され、第二の衣類がより適正な挟持力で保持されるようになる。
【発明の効果】
【００１７】
本発明は以上のように構成され、かつ、作用するものであるから、一対のアームが複数段階の開状態を取るハンガー装置を提供することができるという効果を奏する。また、本発明によれば、上着とズボン類に兼用できるハンガー装置を提供することができるという効果を奏する。また、本発明によれば、一対のアームが開いた状態において当該アームを開閉いずれかの方向へ操作し、連動機構により上下動部材を上下動させ、係合部と係合相手部を係合させることで挟持部材により、例えばズボン類などの第二の衣類を極めて容易に取り付けられ、特に、作業者はズボン類の裾を手に持ったまま、持ち替えずにアームを操作して挟持部材を閉じることができるので、作業性の著しい向上が望まれる。
【図面の簡単な説明】
【００１８】
【図１】本発明に係るハンガー装置の一例を示す正面説明図である。
【図２】同上の装置の要部を拡大して示すもので、Ａは正面図、Ｂは側面図である。
【図３】同上において衣類を掛けるアームの開閉状態を示すもので、Ａはアームの閉状態を示す正面図、Ｂは同じく側面図、Ｃはアームの開状態を示す正面図、Ｄは同じく側面図である。
【図４】同じく要部を拡大して示すアーム閉状態から開状態の部分正面図である。
【図５】同じく第二の衣類吊り下げる挟持部材の開閉状態を示すもので、Ａは挟持部材の開状態を示す正面図、Ｂは同じく側面図、Ｃは挟持部材の閉状態を示す正面図、Ｄは同じく側面図である。
【図６】同じく挟持部材を示すもので、Ａ、Ｂは開閉時の側面図、Ｃは部分正面図である。
【図７】同じく第二の衣類を取り付ける手順を示す説明図である。
【図８】本発明に係る上記ハンガー装置の外観を示すもので、Ａはアームを閉じた状態の正面説明図、Ｂは同じく側面説明図である。
【発明を実施するための最良の形態】
【００１９】
以下、図示の実施形態を参照して本発明をより詳細に説明する。図１は本発明に係るハンガー装置の主として内部構成を示す全体図である。なお、外観は図８に示したとおりである。
【００２０】
本発明に係るハンガー装置は、本体１０の左右に開閉可能に設けた衣類を掛ける一対のアーム１１、１２と、上記アーム１１、１２の間にて上下動可能に本体１０に設けた上下動部材１３と、上下動部材１３を操作するための操作部１４と、一対のアーム１１、１２の開閉と上下動部材１３の上下動を連動させる連動機構１５及び一対のアーム１１、１２を開状態に保つ、１個の弾性部材１６を具備している。
【００２１】
本体１０はケース状構造を有するもので、各部材の取り付け基板を兼ねている。即ち、本体１０の左右には一対のアーム１１、１２が支軸１１ａ、１２ａによって回転可能に取り付けられ、本体１０のほぼ中央部には上下動部材１３が設けられており、これは一対のアーム１１、１２の間に位置している。
【００２２】
一対のアーム１１、１２の内方の端部には歯車部１７、１８が設けられており、一方、縦杆１５の下部の周面は歯車部１７、１８と噛み合うラック１９が形成されている。この歯車部１７、１８とラック１９とは、一対のアーム１１、１２の開閉と上下動部材１３の上下動を連動させる連動機構１５の１例である。
【００２３】
一対のアーム１１、１２の開閉時に連動機構１５により定まる位置に上下動部材１３を固定するために、ロック部材２０を本体１０に設けるとともに、半径方向への凹凸から成るカム部２１を上下動部材１３に設け、また、カム部２１と係合可能な回転カム部２２をロック部材２０に設けている。カム部２１と回転カム部２２は上下動部材１３に対する固定機構を構成する。また、回転カム部２２は、支軸２０ａを通る水平線よりも常に下位にて上下動部材に作用する。
【００２４】
上記ロック部材２０は支軸２０ａにより本体側に回転可能に取り付けられ、かつまた、カム部２１、２２の係合を維持する方向へ弾性部材１６によって付勢されている。弾性部材１６は本体内の凹所に配置されており、その一端１６ａは凹所の壁面に、他端１６ｂはロック部材２０の切欠き部に圧縮状態で接している。
【００２５】
このロック部材２０は支軸２０ａを中心とする円周方向に回転可能であり、回転カム部２２の半径よりも短い距離で上下動部材１３と係合するもので、上下動部材１３に対し、支軸２０ａを通る水平線よりも常に下向きに作用する。従って、弾性部材１６は、上下動部材１３に対する上記作用力を増強するように作用し、ロック部材２０は反時計方向への作用力を受ける。また、ロック部材２０の回転は、回転カム部２２と上下動部材１３との接触で止められるから、それ以上は反時計方向（図２において、上方）へ回転できない。
【００２６】
上下動部材１３のカム部２１の下部には、回転カム部２２が入り込める凹部２３が設けられており、また、その上部には上下動部材１３を押し上げるための、斜面２４が形成されている（図２Ａ参照：斜面はカム部２１の上半部にもあり、従って、上記斜面２４はカム部２１の下半部の位置を占める部分といえる。）。
【００２７】
上記操作部１４は上下動部材１３と同軸上にあって、ケース状本体１０の上部の凹状部分２５に配置されている。操作部１４は押しボタン式に作動するように設けられ、かつ、本体１０の中心軸上に位置し、その下部２６にてロック部材２０の回転カム部上方にある係止部２７に接触する。従って、操作部１４もロック部材２０及び上下動部材１３を介して弾性部材１６の作用力を受け得る状態にある。
【００２８】
本発明のハンガー装置は、第二の衣類を挟み持つために、本体下部の前後に開閉可能に設けた一対の挟持部材２８、２９を有している。実施形態において、挟持部材２８、２９は上部にて本体１０に支軸３１、３２を用いて軸支され、それによって前後に開閉可能に設けられている（図２Ｂ参照）。
【００２９】
一対の挟持部材２８、２９は、その上部にて内向きに設けられている係合相手部３３、３４を有し、これらの係合相手部３３、３４に上下動部材１３の係合部３０が当たることにより、一対の挟持部材２８、２９を開状態に保つように構成されている。なお、係合部３０は鈍角から成る下向きのクサビ状に形成されており、係合相手部３３、３４は挟持部材２８、２９の内側に対称的に設けられ、鈍角状の係合部３０に適合させた形態の傾斜を有している。しかし、これらの形態は任意に変更も可能である。
【００３０】
図示の実施形態では、上下動部材１３の下部を門型或いはΠ型の正面形状に形成し、その中の空所３５に係合相手部３３、３４が収まるように形成されている（図２Ａ）。このように形成することで、上下動部材１３、係合相手部３３、３４の位置が相互に決められることになる。
【００３１】
一対の挟持部材２８、２９は相互に嵌り合う凹部３６と凸部３７を有する挟持端部を下部に備えており、第二の衣類を挟持したときに凹部３６と凸部３７が抜け止め効果を発揮するように構成されている。また、一対の挟持部材２８、２９は、本体１０に軸支された上部と、凹部３６と凸部３７を有する下部とを板バネから成る結合部材３８、３９によって結合した構成を有している。なお、本体１０はフック４０により中心軸上で吊り下げられる。
【００３２】
このように構成されている本発明のハンガー装置において、上着等の衣類を掛けるため一対のアーム１１、１２を閉状態から開くには、垂れ下がっているアーム１１、１２を左右上方へ回転させるようにする（図３Ａ、Ｂ参照）。閉状態において、上下動部材１３は上方の位置にあり（図４上図）、一対のアーム１１、１２は連動機構１５によって結合しているので、左右どちらかのアーム（例えば１１）を回転させることで、他方のアーム（例えば１２）も同時に回転し、やがて一対のアーム１１、１２の間隔が広がり、開状態となる（図３Ｃ、Ｄ参照）。しかし、負担を軽減し損傷の恐れを低減するためにも、左右一対のアーム１１、１２を同時に回転させる方が良いのは、当然のことである。
【００３３】
上下動部材１３は下方の位置に移動する際に、カム部２１が回転カム部２２を時計方向へ押して通過する。通過後回転カム部２２は弾性部材１６の付勢力によって、カム部２１の上位にて上下動部材１３に当接し、開状態となる（図４下図）。この開状態ではカム部２１と回転カム部２２が係合しているので、上下動部材１３は元の位置へ戻ることができず、１対のアーム１１、１２は水平よりもやや傾斜した開状態に保たれる。従って、本発明のハンガー装置を、衣類を掛けて搬送する用途に用いることができる。この開状態が、本発明において傾斜開状態と呼ぶ状態であり、作業着の肩形状のような、なで肩の衣類を掛けるのに適している（衣類は図示を省略する。）。
【００３４】
また、操作部１４を押すとカム部２１が回転カム部２２を押し下げ、ロック部材２０を時計方向へ強制回転させることで、カム部２１が回転カム部２２を通過できるようになる。よって、上下動部材１３は上方の位置へ戻って一対のアーム１１、１２も垂れ下がった状態となる。一対のアーム１１、１２のこのような開閉の繰り返しにより、衣類（特になで肩の衣類）の着脱が効率良く行なわれる。
【００３５】
一対のアーム１１、１２が閉状態及び開状態にあるときは、本体下部に取り付けられている一対の挟持部材２８、２９も開いた状態にある。よって、ズボン類のような第二の衣類を開いた挟持部材２８、２９の間に挿入することができる（図７の左の状態）。なお、ズボン類Ｗは裾を挟持部材２８、２９に挟み込むように上下逆にして取り扱う。次いで、ズボン類Ｗを一対の挟持部材２８、２９の間に上記のように挿入する（図７の中央の状態）。
【００３６】
ズボン類Ｗを一対の挟持部材２８、２９の間に挿入した状態において、さらに、一対のアーム１１、１２を押し上げるようにすることができる（図５Ａ、Ｂ）。この操作はズボン類Ｗの裾を持ちながら、同じ手で簡単に行なうことができる。一対のアーム１１、１２を押し上げると、連動機構１５によって結合している、上下動部材１３がさらに下方の位置へ移動する（このときも左右どちらかのアーム（例えば１１）を押し上げることで、他方のアーム（例えば１２）も同時に押し上げられる）。なお、図５Ａでは、係合部３０を図示するためにアーム１１の図示を省略しているが、アーム１１の位置は図３Ｄと同じである。
【００３７】
上下動部材１３のさらなる下方移動により、係合相手部３３、３４と係合している下向き鈍角状の係合部３０が、挟持部材２８、２９を上部にて押し開き、その結果、挟持部材２８、２９の下部においてズボン類Ｗを挟持することとなる（図５Ｃ、Ｄ）。この状態において、上下動部材１３は最も下方の位置に移動し、一対のアーム１１、１２は最大に開いてほぼ水平になる（図７の右図）。この開状態を本発明において水平開状態と呼ぶ。
【００３８】
水平開状態は、アーム１１、１２をさらに広げるか、或いは操作部１４をさらに下方へ押し込むと、上下動部材１３は、ロック部材２０と接しているため摺動抵抗を受けつつ下方へ移動することによって得られる。ロック部材２０は弾性部材１６で付勢され、かつ、回転カム部２２の半径よりも短い距離で突状のカム部２１と係合しているので、上下動部材１３に対する作用も付勢によって増強されている。こうして、上下動部材１３に大きな摺動抵抗力を作用させるとともに、歯車部１７、１８とラック１９が噛み合っている、噛み合いの限界である位置まで広がった開状態となる。
【００３９】
この、本発明において水平開状態と呼ぶ開状態は、浴衣や甚平のような、水平肩を有する衣類を掛けるのに適している。一対のアーム１１、１２を水平型に対応するように最大に開くことによって、衣類の方が張り気味になりしわを軽減できるため、仕上がり品質の向上に寄与する。
【符号の説明】
【００４０】
１０  本体
１１、１２  左右一対のアーム
１３  上下動部材
１４  操作部
１５  連動機構
１６  弾性部材
１７、１８  歯車部
１９  ラック部
２０  ロック部材
２１  カム部
２２  回転カム部
２３、３６  凹部
２４  斜面
２５  凹状部分
２６  下部
２７  係止部
２８、２９  挟持部材
３０  係合部
３１、３２  支軸
３３、３４  係合相手部
３５  空所  
３７  凸部
３８、３９  板バネから成る結合部材
【図１】
0006571940.tif 000002
【図２】
0006571940.tif 000003
【図３】
0006571940.tif 000004
【図４】
0006571940.tif 000005
【図５】
0006571940.tif 000006
【図６】
0006571940.tif 000007
【図７】
0006571940.tif 000008
【図８】
0006571940.tif 000009